(57)【要約】【課題】真空断熱材の埋設位置を立体的に理解することができるように表記部を構成することにより、解体時における作業効率の高効率化が図られた冷却庫とする。【解決手段】冷却庫は、真空断熱材が少なくともその一部に埋設された外殻部と、真空断熱材の埋設位置を表記した表記部２１とを備える。当該表記部２１においては、上記真空断熱材が埋設された上記外殻部の部位を指し示す文字のみが表記されるとともに、当該部位の立体的な位置を表わすように当該部位に対応したレイアウトおよび角度にて上記文字が表記されている。【選択図】図３
2011257080.tif 000002
【特許請求の範囲】
【請求項１】
真空断熱材が少なくともその一部に埋設された外殻部と、前記真空断熱材の埋設位置が表記された表記部とを備えた冷却庫であって、
前記表記部において、前記真空断熱材が埋設された前記外殻部の部位を指し示す文字のみが表記されるとともに、当該部位の立体的な位置を表わすように当該部位に対応したレイアウトおよび角度にて前記文字が表記されている、冷却庫。
【請求項２】
前記表記部において、前記部位を指し示す文字が、当該部位に埋設された前記真空断熱材の数に応じた数だけ表記されている、請求項１に記載の冷却庫。
【請求項３】
前記表記部が、庫外に相当する前記外殻部の外表面に設けられている、請求項１または２に記載の冷却庫。
【請求項４】
前記表記部が、庫内を規定する前記外殻部の内表面に設けられている、請求項１または２に記載の冷却庫。
【請求項５】
前記表記部が、前記部位を指し示す文字が印字されたラベルにて構成され、
前記ラベルが、前記外殻部に貼り付けられている、請求項１から４のいずれかに記載の冷却庫。
【発明の詳細な説明】
【技術分野】
【０００１】
本発明は、冷蔵庫、冷凍庫または冷凍冷蔵庫等に代表される冷却庫に関し、特に、少なくともその一部に真空断熱材が埋設されてなる外殻部を備えてなる冷却庫に関する。
【背景技術】
【０００２】
近年、環境保護の観点から、家庭用冷却庫や業務用冷却庫、自動販売機に具備される冷却庫等において、断熱材として真空断熱材が広く利用されている。真空断熱材は、たとえば無機材料かなる芯材をガス遮断性の高い金属／有機材料からなる外被材によって気密に覆うとともに当該外被材の内部を減圧してなるパネル状の断熱材であり、ウレタン断熱材等に代表される他の断熱材に比べて断熱性に優れたものである。当該真空断熱材を外殻部に埋設してなる冷却庫にあっては、庫内と庫外との間の断熱性が高く維持できるため、省エネルギー化が図られることになる。
【０００３】
真空断熱材は、上述したように異種材料を複数組み合わせてなる部材からなる。したがって、冷却庫を解体して再資源化するに際して、当該真空断熱材をリサイクルすることは事実上困難であり、そのため、通常は冷却庫の破砕前に当該真空断熱材を外殻部から取り外すことが行なわれている。
【０００４】
ここで、真空断熱材は、他の断熱材に比べて高価であること、形状の自由度が低いこと、またその強度が他の断熱材に比べて劣ること等の理由により、他の断熱材と組み合わせて使用されることが一般的である。そのため、真空断熱材の埋設位置は、冷却庫の仕様等に応じて機種毎に異なっている。たとえば、外殻部のうちの両側壁部のみに真空断熱材が埋設されてなる冷却庫や、両側壁部に加えて底板部、背板部、天板部等に真空断熱材が埋設されてなる冷却庫等、様々なものが存在している。
【０００５】
そのため、従来においては、真空断熱材が冷却庫の外殻部のどの部位に埋設されているかが外部からの視認によって判断できないため、解体時においてその作業性が著しく低下してしまう問題があった。そこで冷却庫の外殻部のどの部位に真空断熱材が埋設されているかを表記したラベル等を冷却庫の外殻部の所定位置に設けることにより、これを容易に確認することができるようにした冷却庫が提案されている（特開２００４−２９４０３８号公報（特許文献１）、特開２００５−２８２８７６号公報（特許文献２）等参照）。
【先行技術文献】
【特許文献】
【０００６】
【特許文献１】特開２００４−２９４０３８号公報
【特許文献２】特開２００５−２８２８７６号公報
【発明の概要】
【発明が解決しようとする課題】
【０００７】
ここで、上記特許文献１および２に開示される冷却庫においては、冷却庫の外殻部に設けられたラベル等に、文字のみの列挙または図および文字の併記によって真空断熱材の埋設位置を表記することとしている。しかしながら、単に文字を列挙するのみの表記とした場合には、立体的に真空断熱材の埋設位置を理解することができないといった欠点が生じることになり、図および文字の併記とした場合には、必然的に文字が小さくなってしまい、その視認性が必ずしもよくないといった欠点や、表記が複雑となるため、立体的に真空断熱材の埋設位置を理解することができないといった欠点が生じてしまうことになる。そのため、上述したいずれかの表記方法を採用した場合には、解体時における作業効率の低下が依然として生じてしまう問題があった。
【０００８】
したがって、本発明は、上述した問題点を解決すべくなされたものであり、真空断熱材の埋設位置を立体的に理解することができるように表記部を構成することにより、解体時における作業効率の高効率化が図られる冷却庫とすることを目的とする。
【課題を解決するための手段】
【０００９】
本発明に基づく冷却庫は、真空断熱材が少なくともその一部に埋設された外殻部と、上記真空断熱材の埋設位置が表記された表記部とを備えたものであって、上記表記部において、上記真空断熱材が埋設された上記外殻部の部位を指し示す文字のみが表記されるとともに、当該部位の立体的な位置を表わすように当該部位に対応したレイアウトおよび角度にて上記文字が表記されているものである。
【００１０】
上記本発明に基づく冷却庫にあっては、上記表記部において、上記部位を指し示す文字が、当該部位に埋設された上記真空断熱材の数に応じた数だけ表記されていることが好ましい。
【００１１】
上記本発明に基づく冷却庫にあっては、上記表記部が、庫外に相当する上記外殻部の外表面に設けられていることが好ましい。
【００１２】
上記本発明に基づく冷却庫にあっては、上記表記部が、庫内を規定する上記外殻部の内表面に設けられていることが好ましい。
【００１３】
上記本発明に基づく冷却庫にあっては、上記表記部が、上記部位を指し示す文字が印字されたラベルにて構成されていることが好ましく、その場合に、上記ラベルが、上記外殻部に貼り付けられていることが好ましい。
【発明の効果】
【００１４】
本発明によれば、真空断熱材の埋設位置を立体的に理解することができるように表記部を構成することが可能になるため、解体時における作業効率の高効率化が図られた冷却庫とすることができる。
【図面の簡単な説明】
【００１５】
【図１】本発明の実施の形態１における冷却庫を示す概略斜視図である。
【図２】図１に示す冷却庫の外殻部のうち、真空断熱材の埋設位置に該当する部分の拡大断面図である。
【図３】図１に示す冷却庫の表記部の拡大図である。
【図４】図１に示す冷却庫の表記部の他の例を示す拡大図である。
【図５】図１に示す冷却庫の表記部のさらに他の例を示す拡大図である。
【図６】本発明の実施の形態２における冷却庫を示す概略斜視図である。
【図７】図６に示す冷却庫の表記部の拡大図である。
【図８】図６に示す冷却庫の表記部の他の例を示す拡大図である。
【図９】本発明の実施の形態３における冷却庫を示す概略斜視図である。
【図１０】図９に示す冷却庫の表記部の拡大図である。
【図１１】本発明の実施の形態４における冷却庫を示す概略斜視図である。
【図１２】図１１に示す冷却庫の表記部の拡大図である。
【発明を実施するための形態】
【００１６】
以下、本発明の実施の形態について、図を参照して詳細に説明する。以下に示す各実施の形態においては、本発明が適用された冷却庫として、冷凍室および冷蔵室を備えてなる標準的な家庭用冷却庫を例示して説明を行なう。なお、これら実施の形態において、同一または共通する部分については図中同一の符号を付し、その説明は個別には繰り返さないこととする。
【００１７】
（実施の形態１）
図１は、本発明の実施の形態１における冷却庫を示す概略斜視図である。図２は、図１に示す冷却庫の外殻部のうち、真空断熱材の埋設位置に該当する部分の拡大断面図である。また、図３は、図１に示す冷却庫の表記部の拡大図である。
【００１８】
図１に示すように、本実施の形態における冷却庫１Ａは、略直方体形状の外形を有しており、外殻部としての本体２、冷蔵室扉９および冷凍室扉１０を主として備えている。本体２は、前面開口の箱状の形状を有しており、底板部３、背板部４、右側板部５、左側板部６、天板部７および隔壁部８を含んでいる。
【００１９】
本体２の内部には、冷蔵室１１と冷凍室１２とが設けられており、これら冷蔵室１１および冷凍室１２は、上述した隔壁部８によって区切られている。上述した冷蔵室扉９および冷凍室扉１０は、それぞれ冷蔵室１１および冷凍室１２に対応する部分の本体２の前面開口を閉塞するように、本体２の前面に開閉可能に取付けられている。
【００２０】
冷蔵室１１は、食品等を冷蔵保存するための収容室であり、本体２の背板部４、右側板部５、左側板部６、天板部７および隔壁部８と、冷蔵室扉９とによって規定されている。冷凍室１２は、食品等を冷凍保存するための収容室であり、本体２の底板部３、背板部４、右側板部５、左側板部６および隔壁部８と、冷凍室扉１０とによって規定されている。
【００２１】
なお、冷却庫１Ａには、たとえば気化圧縮式または気化吸収式等の図示しない冷凍機が具備されており、当該冷凍機が作動することによって生じる低温によって冷蔵室１１および冷凍室１２が冷却され、これにより上述した食品等の冷蔵保存および冷凍保存が可能に構成されている。
【００２２】
本実施の形態における冷却庫１Ａにあっては、本体２、冷蔵室扉９および冷凍室扉１０にそれぞれ断熱材が設置されている。断熱材としては、ウレタン断熱材１３（図２参照）および真空断熱材１４が併用されており、ウレタン断熱材１３は、本体２の各部、冷蔵室扉９および冷凍室扉１０にそれぞれ充填されており、真空断熱材１４は、本体２の右側板部５、左側板部６および天板部７にのみ埋設されている。なお、真空断熱材１４は、たとえば無機材料かなる芯材をガス遮断性の高い金属／有機材料からなる外被材によって気密に覆うとともに当該外被材の内部を減圧してなるパネル状の断熱材であり、リサイクルが困難な断熱材である。
【００２３】
図２に示すように、真空断熱材１４が埋設された部分の外殻部（図においては、右側板部５を例示している）は、庫外（すなわち外部）側に位置する外側鋼板１５と、庫内（すなわち冷蔵室１１または冷凍室１２）側に位置する内側樹脂板１６とを有しており、これら外側鋼板１５と内側樹脂板１６との間に上述したウレタン断熱材１３および真空断熱材１４が挟み込まれるように配置されている。
【００２４】
図１および図３に示すように、本実施の形態における冷却庫１Ａにあっては、表記部２１を含むラベル２０Ａが本体２の背板部４の後面の所定位置に貼り付けられている。これにより、表記部２１が、冷却庫１Ａの庫外に相当する外殻部の外表面に設けられている。ラベル２０Ａに設けられた表記部２１は、真空断熱材１４の埋設位置を表記するものである。
【００２５】
図３に示すように、ラベル２０Ａは、貼り付け面とは反対側に位置する主面に文字が印字されてなるものであり、そのうちの表記部２１において、印字された文字にて真空断熱材１４の埋設位置が表記されている。具体的には、表記部２１においては、真空断熱材１４が埋設された外殻部の部位を指し示す文字のみが印字されるとともに、当該外殻部の部位を指し示す文字が、当該部位の立体的な位置を表わすように当該部位に対応したレイアウトおよび角度にて印字されている。
【００２６】
ここで、本実施の形態における冷却庫１Ａにあっては、上述したように、本体２の右側板部５、左側板部６および天板部７にのみ真空断熱材１４が埋設されているため、表記部２１においては、これら部位をそれぞれ指し示す「右側面」、「左側面」および「上面」の文字のみが印字されている。また、これら３つの部位を指し示す文字は、これら部位が位置する部分をそれぞれ立体的に表わすように、冷却庫１Ａを右前方斜め上方から見下ろした場合にそれぞれの部位の主面が位置する部分に対応したレイアウトおよび角度にて印字されている。ここで、レイアウトとは、印字される文字の位置を意味し、角度とは、印字される文字の斜体度を意味している。
【００２７】
より詳細には、図３に示すように、これら３つの部位を指し示す文字としては、たとえば字体として「新ゴＢ」が、長体度として「１００％」が、平体度として「１１４．５２％」が、斜体度として「３０°」が、色調として「塗り黒１００％」がそれぞれ選択されて使用されている。
【００２８】
以上において説明した本実施の形態における冷却庫１Ａにおいては、上述したように、ラベル２０Ａの表記部２１において、真空断熱材１４が埋設された外殻部の部位を指し示す文字のみが表記されるとともに、当該部位の立体的な位置を表わすように当該部位に対応したレイアウトおよび角度にて上記文字が表記されているため、当該表記部２１を視認した観者が、立体的に真空断熱材１４の埋設位置を理解することができる。したがって、当該冷却庫１Ａを解体して再資源化するに際して、解体作業者が迅速にかつ確実に真空断熱材１４の埋設位置を把握することができることになり、解体作業の高効率化が図られることになる。
【００２９】
ここで、表記部２１において、真空断熱材１４の埋設位置を単に文字のみの列挙で表記した場合や図および文字の併記によって表記した場合には、立体的に真空断熱材の埋設位置を理解することができないといった欠点やその視認性が必ずしもよくないといった欠点が生じてしまい、結果として解体作業の高効率化が図れない問題が生じてしまうことになる。しかしながら、本実施の形態において採用する如くの上記表記方法を採用することにより、表記部２１において、真空断熱材１４の埋設位置が簡潔かつ明瞭に記載されることになるため、より立体的にかつ視認性よく真空断熱材１４の埋設位置を観者が理解することができるようになる。
【００３０】
図４は、図１に示す冷却庫の表記部の他の例を示す拡大図であり、図５は、図１に示す冷却庫の表記部のさらに他の例を示す拡大図である。次に、これら図４および図５を参照して、表記部における表記の他の例について説明する。
【００３１】
上述した図３に示す表記例では、表記部２１において、冷却庫１Ａを右前方斜め上方から見下ろした場合にそれぞれの部位の主面が位置する部分に対応したレイアウトおよび角度となるように、真空断熱材１４の埋設位置に該当する部位に対応する文字が印字されていた。これに対し、図４および図５に示す表記例では、表記部２１において、冷却庫１Ａを左後方斜め上方から見下ろした場合にそれぞれの部位の主面が位置する部分に対応したレイアウトおよび角度となるように、真空断熱材１４の埋設位置に該当する部位に対応する文字が印字されている。特に、図５に示す表記例では、より理解を容易とするために、冷却庫１Ａの向きを示すべく「前面」および「背面」の文字が矢印とともに印字されている。
【００３２】
このような図４および図５に示す如くの表記部２１とした場合にも、当該表記部２１を視認した観者が、立体的に真空断熱材１４の埋設位置を理解することができるようになる。
【００３３】
（実施の形態２）
図６は、本発明の実施の形態２における冷却庫を示す概略斜視図である。また、図７は、図６に示す冷却庫の表記部の拡大図である。
【００３４】
図６に示すように、本実施の形態における冷却庫１Ｂにあっては、真空断熱材１４が、本体２の右側板部５および左側板部６と、冷蔵室扉９と、冷凍室扉１０とにのみ埋設されている。また、表記部２１（図７参照）を含むラベル２０Ｂは、冷却庫１Ｂの背板部４の後面の所定位置に貼り付けられている。
【００３５】
図７に示すように、ラベル２０Ｂは、貼り付け面とは反対側に位置する主面に文字が印字されてなるものであり、そのうちの表記部２１において、印字された文字にて真空断熱材１４の埋設位置が表記されている。具体的には、表記部２１においては、真空断熱材１４が埋設された外殻部の部位を指し示す文字のみが印字されるとともに、当該外殻部の部位を指し示す文字が、当該部位の立体的な位置を表わすように当該部位に対応したレイアウトおよび角度にて印字されている。
【００３６】
ここで、本実施の形態における冷却庫１Ｂにあっては、上述したように、本体２の右側板部５および左側板部６と、冷蔵室扉９と、冷凍室扉１０とにのみ真空断熱材１４が埋設されているため、表記部２１においては、これら部位をそれぞれ指し示す「右側面」、「左側面」、「冷蔵室扉」および「冷凍室扉」の文字のみが印字されている。また、これら４つの部位を指し示す文字は、これら部位が位置する部分をそれぞれ立体的に表わすように、冷却庫１Ｂを右前方斜め上方から見下ろした場合にそれぞれの部位の主面が位置する部分に対応したレイアウトおよび角度にて印字されている。
【００３７】
以上において説明した本実施の形態における冷却庫１Ｂにおいても、上述したように、ラベル２０Ｂの表記部２１において、真空断熱材１４が埋設された外殻部の部位を指し示す文字のみが表記されるとともに、当該部位の立体的な位置を表わすように当該部位に対応したレイアウトおよび角度にて上記文字が表記されているため、当該表記部２１を視認した観者が、立体的に真空断熱材１４の埋設位置を理解することができる。したがって、本実施の形態の如くの冷却庫１Ｂとすることにより、上述した実施の形態１において説明した効果と同様の効果を得ることができる。
【００３８】
図８は、図６に示す冷却庫の表記部の他の例を示す拡大図である。次に、この図８を参照して、表記部における表記の他の例について説明する。
【００３９】
上述した図７に示す表記例では、表記部２１において、冷却庫１Ｂを右前方斜め上方から見下ろした場合にそれぞれの部位の主面が位置する部分に対応したレイアウトおよび角度となるように、真空断熱材１４の埋設位置に該当する部位に対応する文字が印字されていた。これに対し、図８に示す表記例では、表記部２１において、冷却庫１Ｂを左後方斜め上方から見下ろした場合にそれぞれの部位の主面が位置する部分に対応したレイアウトおよび角度となるように、真空断熱材１４の埋設位置に該当する部位に対応する文字が印字されている。
【００４０】
このような図８に示す如くの表記部２１とした場合にも、当該表記部２１を視認した観者が、立体的に真空断熱材１４の埋設位置を理解することができるようになる。
【００４１】
（実施の形態３）
図９は、本発明の実施の形態３における冷却庫を示す概略斜視図である。また、図１０は、図９に示す冷却庫の表記部の拡大図である。
【００４２】
図９に示すように、本実施の形態における冷却庫１Ｃにあっては、真空断熱材１４が、本体２の右側板部５、左側板部６および天板部７にのみ埋設されている。ここで、本体２の右側板部５においては、真空断熱材１４がそれぞれ冷蔵室１１および冷凍室１２に対応して個別に配置されるように２つに分離して配置されている。また、表記部２１（図１０参照）を含むラベル２０Ｃは、冷却庫１Ｃの背板部４の後面の所定位置に貼り付けられている。
【００４３】
図１０に示すように、ラベル２０Ｃは、貼り付け面とは反対側に位置する主面に文字が印字されてなるものであり、そのうちの表記部２１において、印字された文字にて真空断熱材１４の埋設位置が表記されている。具体的には、表記部２１においては、真空断熱材１４が埋設された外殻部の部位を指し示す文字のみが印字されるとともに、当該外殻部の部位を指し示す文字が、当該部位の立体的な位置を表わすように当該部位に対応したレイアウトおよび角度にて印字されている。
【００４４】
ここで、本実施の形態における冷却庫１Ｃにあっては、上述したように、本体２の右側板部５に２つの真空断熱材１４が、また左側板部６および天板部７のそれぞれに１つの真空断熱材１４が埋設されているのみであるため、表記部２１においては、これら部位をそれぞれ指し示す「右側面」、「右側面」、「左側面」、および「上面」の文字のみが印字されている。また、これら４つの部位を指し示す文字は、これら部位が位置する部分をそれぞれ立体的に表わすように、冷却庫１Ｃを右前方斜め上方から見下ろした場合にそれぞれの部位の主面が位置する部分に対応したレイアウトおよび角度にて印字されている。ここで、右側板部５においては、２つの真空断熱材１４が上下に分離して２つ埋設されているため、表記部２１においては、「右側面」との表記が上下に２つ印字されている。
【００４５】
以上において説明した本実施の形態における冷却庫１Ｃにおいても、上述したように、ラベル２０Ｃの表記部２１において、真空断熱材１４が埋設された外殻部の部位を指し示す文字のみが表記されるとともに、当該部位の立体的な位置を表わすように当該部位に対応したレイアウトおよび角度にて上記文字が表記されているため、当該表記部２１を視認した観者が、立体的に真空断熱材１４の埋設位置を理解することができる。また、上記本実施の形態における冷却庫１Ｃにあっては、表記部２１において、当該部位に埋設された真空断熱材１４の数に応じた数だけ当該部位を指し示す文字が表記されているため、当該表記部２１を視認した観者が、当該部位に埋設された真空断熱材１４の数を立体的に理解することができる。したがって、真空断熱材１４が、特定の部位に複数埋設されている場合にも、これを取り外し忘れることが防止できる。したがって、本実施の形態の如くの冷却庫１Ｃとすることにより、上述した実施の形態１において説明した効果と同様の効果を得ることができる。
【００４６】
（実施の形態４）
図１１は、本発明の実施の形態４における冷却庫を示す概略斜視図である。また、図１２は、図１１に示す冷却庫の表記部の拡大図である。
【００４７】
図１１に示すように、本実施の形態における冷却庫１Ｄにあっては、真空断熱材１４が、本体２の右側板部５、左側板部６および天板部７と、冷凍室扉１０と、冷蔵室扉９とにのみ埋設されている。また、表記部２１（図１２参照）を含むラベル２０Ｄは、冷却庫１Ｄの背板部４の後面の所定位置に貼り付けられている。
【００４８】
図１２に示すように、ラベル２０Ｄは、貼り付け面とは反対側に位置する主面に文字が印字されてなるものであり、そのうちの表記部２１において、印字された文字にて真空断熱材１４の埋設位置が表記されている。具体的には、表記部２１においては、真空断熱材１４が埋設された外殻部の部位を指し示す文字のみが印字されるとともに、当該外殻部の部位を指し示す文字が、当該部位の立体的な位置を表わすように当該部位に対応したレイアウトおよび角度にて印字されている。
【００４９】
ここで、本実施の形態における冷却庫１Ｄにあっては、上述したように、本体２の右側板部５、左側板部６および天板部７と、冷凍室扉１０と、冷蔵室扉９とにのみ真空断熱材１４が埋設されているため、表記部２１においては、これら部位をそれぞれ指し示す「右側面」、「左側面」、「上面」、「冷凍室扉」および「冷蔵室扉」の文字のみが印字されている。また、これら５つの部位を指し示す文字は、これら部位が位置する部分をそれぞれ立体的に表わすように、冷却庫１Ｄをその前面を基準に他の外殻部を所定角度だけ展開した状態とした場合にそれぞれの部位の主面が位置する部分に対応したレイアウトおよび角度にて印字されている。なお、図１２に示すラベル２０Ｄの表記部２１においては、上記部位を指し示す文字を白抜き文字にて表記し、そのうちの「右側面」および「左側面」との文字をさらに影付け文字にて表記している。
【００５０】
以上において説明した本実施の形態における冷却庫１Ｄにおいても、上述したように、ラベル２０Ｄの表記部２１において、真空断熱材１４が埋設された外殻部の部位を指し示す文字のみが表記されるとともに、当該部位の立体的な位置を表わすように当該部位に対応したレイアウトおよび角度にて上記文字が表記されているため、当該表記部２１を視認した観者が、立体的に真空断熱材１４の埋設位置を理解することができる。したがって、本実施の形態の如くの冷却庫１Ｄとすることにより、上述した実施の形態１において説明した効果と同様の効果を得ることができる。
【００５１】
上述した本発明の実施の形態１ないし４においては、表記部の設置位置として本体の背板部の後面とした場合を例示して説明を行なったが、表記部の設置位置は、庫外に相当する外殻部の外表面または庫内を規定する外殻部の内表面のいずれの位置に設けられていてもよい。その場合には、好ましくは冷却庫の意匠を損なわない位置でかつ十分に目立つ位置に設置されることが好ましい。
【００５２】
また、上述した本発明の実施の形態１ないし４においては、表記部を含むラベルを利用した場合を例示して説明を行なったが、外殻部を構成する鋼板等に直接刻印を行なうことと等によって表記部を構成することとしてもよい。
【００５３】
また、上述した本発明の実施の形態１ないし４においては、冷蔵室扉および冷凍室扉がいずれも回動可能に本体に取付けられた冷却庫を例示して説明を行なったが、これら扉の一方または両方が引き出し式に構成された冷却庫に本発明を適用することも当然に可能である。
【００５４】
また、上述した本発明の実施の形態１ないし４においては、冷蔵室および冷凍室を具備してなる冷却庫を例示して説明を行なったが、これらのうちの一方のみを具備してなる冷却庫に本発明を適用することも当然に可能であるし、これらに加えて野菜室やチルド室、解凍室、製氷室等を具備してなる冷却庫に本発明を適用することも当然に可能である。
【００５５】
また、上述した本発明の実施の形態１ないし４においては、外殻部に少なくとも２つ以上の真空断熱材が埋設されてなる冷却庫を例示して説明を行なったが、外殻部に１つの真空断熱材が埋設された冷却庫に本発明を適用することも当然に可能である。
【００５６】
このように、本発明は、少なくとも外殻部に１つ以上の真空断熱材が埋設されてなる冷却庫であればどのようなものにもその適用が可能であり、真空断熱材の埋設位置に応じて表記部においてこれを立体的に表わすように文字のみによってその表記がなされていれば、真空断熱材の埋設位置や数、形状等によってその適用が制限されるものではない。
【００５７】
さらには、上述した本発明の実施の形態１ないし４においては、標準的な家庭用冷却庫を例示して説明を行なったが、業務用冷却庫、自動販売機に具備される冷却庫等、種々の冷却庫に本発明を適用することが可能である。
【００５８】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００５９】
１Ａ〜１Ｄ  冷却庫、２  本体、３  底板部、４  背板部、５  右側板部、６  左側板部、７  天板部、８  隔壁部、９  冷蔵室扉、１０  冷凍室扉、１１  冷蔵室、１２  冷凍室、１３  ウレタン断熱材、１４  真空断熱材、１５  外側鋼板、１６  内側樹脂板、２０Ａ〜２０Ｄ  ラベル、２１  表記部。
【図１】
2011257080.tif 000003
【図２】
2011257080.tif 000004
【図３】
2011257080.tif 000005
【図４】
2011257080.tif 000006
【図５】
2011257080.tif 000007
【図６】
2011257080.tif 000008
【図７】
2011257080.tif 000009
【図８】
2011257080.tif 000010
【図９】
2011257080.tif 000011
【図１０】
2011257080.tif 000012
【図１１】
2011257080.tif 000013
【図１２】
2011257080.tif 000014